(57)【要約】【課題】ネットワークにおいてコンテンツを配信するためのシステムを提供する。  【解決手段】システムは、コンテンツを記憶するメモリを備える。プロバイダネットワークデバイスがメモリと通信する。リクエスタネットワークデバイスがコンテンツのコピーを要求する。プロバイダネットワークデバイスは、リクエスタネットワークデバイスのローカル／リモートステータスを判断し、リクエスタネットワークデバイスがコンテンツを要求し、且つ、ローカルステータスを有する場合に、コンテンツのコピーをリクエスタネットワークデバイスへ選択的に送信する。【選択図】  図１
2006285984.tif 000002
【特許請求の範囲】
【請求項１】
ネットワークにおいてコンテンツを配信するためのシステムであって、
コンテンツを記憶するメモリと、
前記メモリと通信するプロバイダネットワークデバイスと、
前記コンテンツのコピーを要求するリクエスタネットワークデバイスと、
を備え、
前記プロバイダネットワークデバイスは、前記リクエスタネットワークデバイスのローカル／リモートステータスを判断し、前記リクエスタネットワークデバイスがコンテンツを要求し、且つ、ローカルステータスを有する場合に、前記コンテンツのコピーを前記リクエスタネットワークデバイスへ選択的に送信する、
ネットワークにおいてコンテンツを配信するためのシステム。
【請求項２】
前記プロバイダネットワークデバイスは、デジタル多用途ディスク（ＤＶＤ）システムを含む、請求項１に記載の、ネットワークにおいてコンテンツを配信するためのシステム。
【請求項３】
前記リクエスタネットワークデバイスは、ハードディスクドライブ（ＨＤＤ）システムを含む、請求項１に記載の、ネットワークにおいてコンテンツを配信するためのシステム。
【請求項４】
前記プロバイダネットワークデバイスは、前記リクエスタネットワークデバイスの前記ローカル／リモートステータスを判断するローカルネットワーク判断モジュールを含む、請求項１に記載の、ネットワークにおいてコンテンツを配信するためのシステム。
【請求項５】
前記プロバイダネットワークデバイスは、前記リクエスタネットワークデバイスの応答時間に基づいて、前記ローカル／リモートステータスを判断する、請求項１に記載の、ネットワークにおいてコンテンツを配信するためのシステム。
【請求項６】
前記プロバイダネットワークデバイスと通信し、且つ、ローカルネットワークデバイスの識別データを記憶するサーバ、をさらに備え、前記プロバイダネットワークデバイスは、前記識別データに基づいて前記ローカル／リモートステータスを判断する、請求項１に記載の、ネットワークにおいてコンテンツを配信するためのシステム。
【請求項７】
前記識別データは、前記ローカルネットワークデバイスの媒体アクセス制御（ＭＡＣ）アドレスを含む、請求項６に記載の、ネットワークにおいてコンテンツを配信するためのシステム。
【請求項８】
前記ＨＤＤシステムは、
不揮発的な方法でデータを記憶し、且つ、ユーザアクセス可能セクション及び隠しセクションを含む、不揮発性ＨＤＤメモリと、
前記ＨＤＤ不揮発性メモリと通信し、前記プロバイダネットワークデバイスにコンテンツを選択的に要求して前記プロバイダネットワークデバイスからコンテンツを受信し、且つ、前記要求されたコンテンツを前記不揮発性ＨＤＤメモリの前記隠しセクションに記憶する、ハードディスクドライブ（ＨＤＤ）制御モジュールと、
を備える、請求項３に記載の、ネットワークにおいてコンテンツを配信するためのシステム。
【請求項９】
前記要求を前記プロバイダネットワークデバイスへ送信した後、前記ＨＤＤ制御モジュールは、鍵要求を受信し、該鍵要求に応答して、前記プロバイダネットワークデバイスへ鍵を送信する、請求項８に記載の、ネットワークにおいてコンテンツを配信するためのシステム。
【請求項１０】
前記プロバイダネットワークデバイスから前記ＨＤＤシステムによって受信された、前記要求されたコンテンツは、前記鍵を使用して暗号化される、請求項９に記載の、ネットワークにおいてコンテンツを配信するためのシステム。
【請求項１１】
前記ＨＤＤ制御モジュールは、前記要求されたコンテンツを解読する、請求項１０に記載の、ネットワークにおいてコンテンツを配信するためのシステム。
【請求項１２】
前記要求されたコンテンツは、同じく前記不揮発性ＨＤＤメモリの前記隠し部分に書き込まれる使用量データを含み、前記ＨＤＤ制御モジュールは、前記使用量データが、許可された使用を超過したことを示すと、前記要求されたコンテンツを利用不能にする、請求項８に記載の、ネットワークにおいてコンテンツを配信するためのシステム。
【請求項１３】
前記ＨＤＤシステムは、前記要求されたコンテンツを前記不揮発性ＨＤＤメモリから消去する、請求項１２に記載の、ネットワークにおいてコンテンツを配信するためのシステム。
【請求項１４】
前記使用量データは、許可された所定の使用回数を指定する、請求項１２に記載の、ネットワークにおいてコンテンツを配信するためのシステム。
【請求項１５】
前記使用量データは、許可された使用期間を指定する、請求項１２に記載の、ネットワークにおいてコンテンツを配信するためのシステム。
【請求項１６】
前記ＨＤＤシステムは、前記ネットワークと無線で通信する、請求項８に記載の、ネットワークにおいてコンテンツを配信するためのシステム。
【請求項１７】
前記ＨＤＤシステムは、有線媒体によって前記ネットワークと通信する、請求項８に記載の、ネットワークにおいてコンテンツを配信するためのシステム。
【請求項１８】
前記ＤＶＤシステムは、
コンテンツを記憶する不揮発性メモリと、
前記不揮発性メモリと通信し、且つ、前記リクエスタネットワークデバイスからコンテンツの要求を選択的に受信する、ＤＶＤ制御モジュールと、
を備える、請求項２に記載の、ネットワークにおいてコンテンツを配信するためのシステム。
【請求項１９】
前記ＤＶＤ制御モジュールは、前記要求されたコンテンツを送信する前に、前記リクエスタネットワークデバイスに鍵を要求し、且つ、該鍵要求を前記ＨＤＤシステムへ送信した後に、該ＨＤＤシステムから前記鍵を受信するのに必要な時間を求める、請求項１８に記載の、ネットワークにおいてコンテンツを配信するためのシステム。
【請求項２０】
前記鍵が所定の期間内に受信された場合に、前記ＤＶＤシステムは、前記要求されたコンテンツを前記ＨＤＤシステムへ送信する、請求項１９に記載の、ネットワークにおいてコンテンツを配信するためのシステム。
【請求項２１】
前記所定の期間は２ホップ期間にほぼ等しい、請求項２０に記載の、ネットワークにおいてコンテンツを配信するためのシステム。
【請求項２２】
前記所定の期間は単一ホップ期間にほぼ等しい、請求項２０に記載の、ネットワークにおいてコンテンツを配信するためのシステム。
【請求項２３】
前記ＤＶＤシステムは、前記要求されたコンテンツを前記ＨＤＤシステムへ送信する前に、前記要求されたコンテンツを暗号化する、請求項２０に記載の、ネットワークにおいてコンテンツを配信するためのシステム。
【請求項２４】
前記ＤＶＤ制御モジュールは、前記ＨＤＤシステムへ送信される、前記要求されたコンテンツに、使用量データを含める、請求項１８に記載の、ネットワークにおいてコンテンツを配信するためのシステム。
【請求項２５】
前記使用量データは、許可された使用回数を指定する、請求項２４に記載の、ネットワークにおいてコンテンツを配信するためのシステム。
【請求項２６】
前記使用量データは、許可された使用期間を指定する、請求項２４に記載の、ネットワークにおいてコンテンツを配信するためのシステム。
【請求項２７】
前記ＤＶＤシステムは、前記ネットワークと無線で通信する、請求項１８に記載の、ネットワークにおいてコンテンツを配信するためのシステム。
【請求項２８】
前記ＤＶＤシステムは、有線媒体によって前記ネットワークと通信する、請求項１８に記載の、ネットワークにおいてコンテンツを配信するためのシステム。
【請求項２９】
ネットワークにおいてコンテンツを配信するための方法であって、
メモリにコンテンツを記憶すること、
前記メモリと通信するプロバイダネットワークデバイスを設けること、
前記コンテンツのコピーを要求するリクエスタネットワークデバイスを設けること、
前記リクエスタネットワークデバイスのローカル／リモートステータスを判断すること、及び
前記リクエスタネットワークデバイスがコンテンツを要求し、且つ、ローカルステータスを有する場合に、前記コンテンツのコピーを前記リクエスタネットワークデバイスへ選択的に送信すること、
を含む、ネットワークにおいてコンテンツを配信するための方法。
【請求項３０】
前記プロバイダネットワークデバイスは、デジタル多用途ディスク（ＤＶＤ）システムを含む、請求項２９に記載の、ネットワークにおいてコンテンツを配信するための方法。
【請求項３１】
前記リクエスタネットワークデバイスは、ハードディスクドライブ（ＨＤＤ）システムを含む、請求項２９に記載の、ネットワークにおいてコンテンツを配信するための方法。
【請求項３２】
前記リクエスタネットワークデバイスの前記ローカル／リモートステータスを判断すること、をさらに含む、請求項２９に記載の、ネットワークにおいてコンテンツを配信するための方法。
【請求項３３】
前記リクエスタネットワークデバイスの応答時間に基づいて、前記ローカル／リモートステータスを判断すること、をさらに含む、請求項２９に記載の、ネットワークにおいてコンテンツを配信するための方法。
【請求項３４】
ローカルネットワークデバイスの識別データを記憶すること、をさらに含み、前記プロバイダネットワークデバイスは、前記識別データに基づいて前記ローカル／リモートステータスを判断する、請求項２９に記載の、ネットワークにおいてコンテンツを配信するための方法。
【請求項３５】
前記ローカルネットワークデバイスの媒体アクセス制御（ＭＡＣ）アドレスを記憶すること、をさらに含む、請求項３４に記載の、ネットワークにおいてコンテンツを配信するための方法。
【請求項３６】
前記ＨＤＤシステムのユーザアクセス可能セクション及び隠しセクションに不揮発的な方法でデータを記憶すること、
前記プロバイダネットワークデバイスにコンテンツを選択的に要求して前記プロバイダネットワークデバイスからコンテンツを受信すること、及び
前記要求されたコンテンツを前記ＨＤＤシステムの前記隠しセクションに記憶すること、
をさらに含む、請求項３１に記載の、ネットワークにおいてコンテンツを配信するための方法。
【請求項３７】
鍵要求を受信すること、及び、該要求を前記プロバイダネットワークデバイスへ送信した後、該鍵要求に応答して、前記プロバイダネットワークへ鍵を送信すること、をさらに含む、請求項３６に記載の、ネットワークにおいてコンテンツを配信するための方法。
【請求項３８】
前記プロバイダネットワークデバイスから前記ＨＤＤシステムによって受信された、前記要求されたコンテンツを、前記鍵を使用して暗号化すること、をさらに含む、請求項３７に記載の、ネットワークにおいてコンテンツを配信するための方法。
【請求項３９】
前記要求されたコンテンツを解読すること、をさらに含む、請求項３８に記載の、ネットワークにおいてコンテンツを配信するための方法。
【請求項４０】
使用量データを含む前記要求されたコンテンツを、前記ＨＤＤシステムの前記隠し部分に書き込むこと、及び
前記使用量データが、許可された使用を超過したことを示すと、前記要求されたコンテンツを利用不能にすること、
をさらに含む、請求項３６に記載の、ネットワークにおいてコンテンツを配信するための方法。
【請求項４１】
前記要求されたコンテンツを前記ＨＤＤシステムから消去すること、をさらに含む、請求項４０に記載の、ネットワークにおいてコンテンツを配信するための方法。
【請求項４２】
前記使用量データを使用して、許可された所定の使用回数を指定すること、をさらに含む、請求項４０に記載の、ネットワークにおいてコンテンツを配信するための方法。
【請求項４３】
前記使用量データを使用して、許可された使用期間を指定すること、をさらに含む、請求項４０に記載の、ネットワークにおいてコンテンツを配信するための方法。
【請求項４４】
コンテンツを記憶すること、及び
前記リクエスタネットワークデバイスからコンテンツの要求を選択的に受信すること、
をさらに含む、請求項３０に記載の、ネットワークにおいてコンテンツを配信するための方法。
【請求項４５】
前記要求されたコンテンツを送信する前に、前記リクエスタネットワークデバイスに鍵を要求すること、及び、
前記鍵要求を前記ＨＤＤシステムへ送信した後に、該ＨＤＤシステムから前記鍵を受信するのに必要な時間を求めること、
をさらに含む、請求項４４に記載の、ネットワークにおいてコンテンツを配信するための方法。
【請求項４６】
前記鍵が所定の期間内に受信された場合に、前記要求されたコンテンツを前記ＨＤＤシステムへ送信することをさらに含む、請求項４５に記載の、ネットワークにおいてコンテンツを配信するための方法。
【請求項４７】
前記所定の期間は２ホップ期間にほぼ等しい、請求項４６に記載の、ネットワークにおいてコンテンツを配信するための方法。
【請求項４８】
前記所定の期間は単一ホップ期間にほぼ等しい、請求項４６に記載の、ネットワークにおいてコンテンツを配信するための方法。
【請求項４９】
前記要求されたコンテンツを前記ＨＤＤシステムへ送信する前に、前記要求されたコンテンツを暗号化することをさらに含む、請求項４６に記載の、ネットワークにおいてコンテンツを配信するための方法。
【請求項５０】
前記要求されたコンテンツ内の使用量データを前記ＨＤＤシステムへ送信することをさらに含む、請求項４４に記載の、ネットワークにおいてコンテンツを配信するための方法。
【請求項５１】
前記使用量データは、許可された使用回数を指定する、請求項５０に記載の、ネットワークにおいてコンテンツを配信するための方法。
【請求項５２】
前記使用量データは、許可された使用期間を指定する、請求項５０に記載の、ネットワークにおいてコンテンツを配信するための方法。
【発明の詳細な説明】
【技術分野】
【０００１】
本発明は、ネットワークに関し、より詳細には、保護コンテンツの安全な配信を可能にするネットワークシステムに関する。
【０００２】
この出願は、２００５年１月１９日に出願された米国特許出願第１１／０３９，２８８号に関連する。上記出願の開示は、参照によりその全内容が本明細書に援用される。
【背景技術】
【０００３】
顧客はしばしば、デジタル多用途ディスク（ＤＶＤ）のビデオコンテンツを購入する。ＤＶＤプレイヤは、テレビ（ＴＶ）又は他のビデオモニタにビデオコンテンツを出力するのに使用することができる。ＤＶＤプレイヤの中には、複数のＤＶＤのうちの１つを選択して再生することを可能にするための回転トレーを含むことができるものがある。場合によっては、顧客がその顧客の家の或る部屋の第１のＴＶでＤＶＤコンテンツを見たいときに、ＤＶＤプレイヤが別の部屋に位置し、その別の部屋の第２のＴＶに接続されている場合がある。その結果、ＤＶＤプレイヤを第２のＴＶから切り離して、第１のＴＶのある部屋へ移動させ、第１のＴＶに再び接続する必要がある。或いは、顧客が第２のＤＶＤプレイヤを有する場合、顧客は、ＤＶＤをその他方のプレイヤへ移動させる。
【０００４】
この問題に対する１つの可能な解決法は、ＤＶＤコンテンツを別のＤＶＤにコピーすることを含む。ＤＶＤプレイヤは、通常、１つのＤＶＤプレイヤしか含まず、これが、ＤＶＤのコピーを難しくしている。ＤＶＤをコピーするには、ユーザは、ＤＶＤコンテンツをハードドライブシステムにコピーしなければならない。通常、デジタル著作権管理（ＤＲＭ）等のコピープロテクト方式は、一部のコピーが著作権法の下で保護されている場合があるにもかかわらず、このようなコピーを阻止する。これは、一部には、データがＤＶＤプレイヤによって解読及び／又は復号され、したがって、データが他のデバイスへ出力される時に非保護形式になることに起因している。この解決法も、追加ＤＶＤプレイヤを必要とする。
【発明の開示】
【課題を解決するための手段】
【０００５】
ネットワークにおいてコンテンツを配信するためのシステムは、コンテンツを記憶するメモリを備える。プロバイダネットワークデバイスが、このメモリと通信する。リクエスタネットワークデバイスが、コンテンツのコピーを要求する。プロバイダネットワークデバイスは、リクエスタネットワークデバイスのローカル／リモートステータスを判断し、リクエスタネットワークデバイスがコンテンツを要求し、且つ、ローカルステータスを有する場合に、コンテンツのコピーをリクエスタネットワークデバイスへ選択的に送信する。
【０００６】
他の特徴では、プロバイダネットワークデバイスは、デジタル多用途ディスク（ＤＶＤ）システムを含む。リクエスタネットワークデバイスは、ハードディスクドライブ（ＨＤＤ）システムを含む。プロバイダネットワークデバイスは、リクエスタネットワークデバイスのローカル／リモートステータスを判断するローカルネットワーク判断モジュールを含む。プロバイダネットワークデバイスは、リクエスタネットワークデバイスの応答時間に基づいて、ローカル／リモートステータスを判断する。
【０００７】
他の特徴では、サーバが、プロバイダネットワークデバイスと通信し、ローカルネットワークデバイスの識別データを記憶する。プロバイダネットワークデバイスは、識別データに基づいてローカル／リモートステータスを判断する。識別データは、ローカルネットワークデバイスの媒体アクセス制御（ＭＡＣ）アドレスを含む。
【０００８】
他の特徴では、ＨＤＤシステムは、不揮発的な方法でデータを記憶し、ユーザアクセス可能セクション及び隠しセクションを含む、不揮発性ＨＤＤメモリを備える。ハードディスクドライブ（ＨＤＤ）制御モジュールが、このＨＤＤ不揮発性メモリと通信し、プロバイダネットワークデバイスにコンテンツを選択的に要求してプロバイダネットワークデバイスからコンテンツを受信し、要求されたコンテンツを不揮発性ＨＤＤメモリの隠しセクションに記憶する。
【０００９】
他の特徴では、要求をプロバイダネットワークデバイスへ送信した後、ＨＤＤ制御モジュールは、鍵要求を受信し、この鍵要求に応答して、プロバイダネットワークデバイスへ鍵を送信する。プロバイダネットワークデバイスからＨＤＤシステムによって受信された、要求されたコンテンツは、鍵を使用して暗号化される。ＨＤＤ制御モジュールは、要求されたコンテンツを解読する。要求されたコンテンツは、同じく不揮発性ＨＤＤメモリの隠し部分に書き込まれる使用量データを含み、ＨＤＤ制御モジュールは、使用量データが、許可された使用を超過したことを示すと、要求されたコンテンツを利用不能にする。ＨＤＤシステムは、要求されたコンテンツを不揮発性ＨＤＤメモリから消去する。使用量データは、許可された所定の使用回数を指定する。使用量データは、許可された使用期間を指定する。ＨＤＤシステムは、ネットワークと無線で通信する。ＨＤＤシステムは、有線媒体によってネットワークと通信する。
【００１０】
他の特徴では、ＤＶＤシステムは、コンテンツを記憶する不揮発性メモリを備える。ＤＶＤ制御モジュールが、この不揮発性メモリと通信し、リクエスタネットワークデバイスからコンテンツの要求を選択的に受信する。ＤＶＤ制御モジュールは、要求されたコンテンツを送信する前に、リクエスタネットワークデバイスに鍵を要求し、この鍵要求をＨＤＤシステムへ送信した後に、ＨＤＤシステムから鍵を受信するのに必要な時間を求める。鍵が所定の期間内に受信された場合に、ＤＶＤシステムは、要求されたコンテンツをＨＤＤシステムへ送信する。この所定の期間は単一ホップ期間又は２ホップ期間にほぼ等しい。ＤＶＤシステムは、要求されたコンテンツをＨＤＤシステムへ送信する前に、要求されたコンテンツを暗号化する。ＤＶＤ制御モジュールは、ＨＤＤシステムへ送信される、要求されたコンテンツに、使用量データを含める。使用量データは、許可された使用回数を指定する。使用量データは、許可された使用期間を指定する。
【００１１】
ネットワークにおいてコンテンツを配信するためのシステムは、コンテンツを記憶するためのメモリ手段を備える。プロバイダネットワーク手段が、このメモリ手段との通信を提供する。リクエスタネットワーク手段が、コンテンツのコピーを要求する。プロバイダネットワーク手段は、リクエスタネットワーク手段のローカル／リモートステータスを判断し、リクエスタネットワーク手段がコンテンツを要求し、且つ、ローカルステータスを有する場合に、コンテンツのコピーをリクエスタネットワーク手段へ選択的に送信する。
【００１２】
他の特徴では、プロバイダネットワーク手段は、デジタル多用途ディスク（ＤＶＤ）システムを含む。リクエスタネットワーク手段は、ハードディスクドライブ（ＨＤＤ）システムを含む。プロバイダネットワーク手段は、リクエスタネットワーク手段のローカル／リモートステータスを判断するためのローカルネットワーク判断手段を含む。プロバイダネットワーク手段は、リクエスタネットワーク手段の応答時間に基づいて、ローカル／リモートステータスを判断する。サーバ手段が、プロバイダネットワーク手段との通信を受け持ち、ローカルネットワーク手段の識別データを記憶する。プロバイダネットワーク手段は、識別データに基づいてローカル／リモートステータスを判断する。識別データは、ローカルネットワーク手段の媒体アクセス制御（ＭＡＣ）アドレスを含む。
【００１３】
他の特徴では、ＨＤＤシステムは、不揮発的な方法でデータを記憶し、ユーザアクセス可能セクション及び隠しセクションを含む、不揮発性ＨＤＤメモリ手段を備える。ハードディスクドライブ（ＨＤＤ）制御手段が、このＨＤＤ不揮発性メモリ手段と通信し、プロバイダネットワーク手段にコンテンツを選択的に要求してプロバイダネットワーク手段からコンテンツを受信し、要求されたコンテンツを不揮発性ＨＤＤメモリ手段の隠しセクションに記憶する。要求をプロバイダネットワーク手段へ送信した後、ＨＤＤ制御手段は、鍵要求を受信し、この鍵要求に応答して、プロバイダネットワーク手段へ鍵を送信する。プロバイダネットワーク手段からＨＤＤシステムによって受信された、要求されたコンテンツは、鍵を使用して暗号化される。ＨＤＤ制御手段は、要求されたコンテンツを解読する。要求されたコンテンツは、同じく不揮発性ＨＤＤメモリ手段の隠し部分に書き込まれる使用量データを含み、ＨＤＤ制御手段は、使用量データが、許可された使用を超過したことを示すと、要求されたコンテンツを利用不能にする。
【００１４】
他の特徴では、ＨＤＤシステムは、要求されたコンテンツを不揮発性ＨＤＤメモリ手段から消去する。使用量データは、許可された所定の使用回数を指定する。使用量データは、許可された使用期間を指定する。ＨＤＤシステムは、ネットワークと無線で通信する。ＨＤＤシステムは、有線媒体によってネットワークと通信する。
【００１５】
他の特徴では、ＤＶＤシステムは、コンテンツを記憶するための不揮発性メモリ手段を備える。ＤＶＤ制御手段が、この不揮発性メモリ手段と通信し、リクエスタネットワーク手段からコンテンツの要求を選択的に受信する。ＤＶＤ制御手段は、要求されたコンテンツを送信する前に、リクエスタネットワーク手段に鍵を要求し、この鍵要求をＨＤＤシステムへ送信した後に、ＨＤＤシステムから鍵を受信するのに必要な時間を求める。鍵が所定の期間内に受信された場合に、ＤＶＤ制御手段は、要求されたコンテンツをＨＤＤシステムへ送信する。この所定の期間は単一ホップ期間又は２ホップ期間にほぼ等しい。ＤＶＤ制御手段は、要求されたコンテンツをＨＤＤシステムへ送信する前に、要求されたコンテンツを暗号化する。ＤＶＤ制御手段は、ＨＤＤシステムへ送信される、要求されたコンテンツに、使用量データを含める。使用量データは、許可された使用回数を指定する。使用量データは、許可された使用期間を指定する。ＤＶＤシステムは、ネットワークと無線で通信する。ＤＶＤシステムは、有線媒体によってネットワークと通信する。
【００１６】
ネットワークにおいてコンテンツを配信するための方法は、メモリにコンテンツを記憶すること、このメモリと通信するプロバイダネットワークデバイスを設けること、コンテンツのコピーを要求するリクエスタネットワークデバイスを設けること、リクエスタネットワークデバイスのローカル／リモートステータスを判断すること、及び、リクエスタネットワークデバイスがコンテンツを要求し、且つ、ローカルステータスを有する場合に、コンテンツのコピーをリクエスタネットワークデバイスへ選択的に送信すること、を含む。
【００１７】
他の特徴では、プロバイダネットワークデバイスは、デジタル多用途ディスク（ＤＶＤ）システムを含む。リクエスタネットワークデバイスは、ハードディスクドライブ（ＨＤＤ）システムを含む。この方法は、リクエスタネットワークデバイスのローカル／リモートステータスを判断することを含む。この方法は、リクエスタネットワークデバイスの応答時間に基づいて、ローカル／リモートステータスを判断することを含む。この方法は、ローカルネットワークデバイスの識別データを記憶することを含み、プロバイダネットワークデバイスは、この識別データに基づいてローカル／リモートステータスを判断する。この方法は、ローカルネットワークデバイスの媒体アクセス制御（ＭＡＣ）アドレスを記憶することを含む。この方法は、ＨＤＤシステムのユーザアクセス可能セクション及び隠しセクションに不揮発的な方法でデータを記憶すること、プロバイダネットワークデバイスにコンテンツを選択的に要求してプロバイダネットワークデバイスからコンテンツを受信すること、及び、要求されたコンテンツを不揮発性ＨＤＤメモリの隠しセクションに記憶すること、を含む。
【００１８】
他の特徴では、この方法は、鍵要求を受信すること、及び、この要求をプロバイダネットワークデバイスへ送信した後、この鍵要求に応答して、プロバイダネットワークデバイスへ鍵を送信すること、を含む。この方法は、プロバイダネットワークデバイスからＨＤＤシステムによって受信された、要求されたコンテンツを、鍵を使用して暗号化することを含む。この方法は、要求されたコンテンツを解読することを含む。この方法は、使用量データを含む要求されたコンテンツを、不揮発性ＨＤＤメモリの隠し部分に書き込むこと、及び、使用量データが、許可された使用を超過したことを示すと、要求されたコンテンツを利用不能にすること、を含む。
【００１９】
さらに他の特徴では、この方法は、要求されたコンテンツを不揮発性ＨＤＤメモリから消去することを含む。この方法は、使用量データを使用して、許可された所定の使用回数を指定することを含む。この方法は、使用量データを使用して、許可された使用期間を指定することを含む。この方法は、コンテンツを記憶すること、及び、リクエスタネットワークデバイスからコンテンツの要求を選択的に受信すること、を含む。この方法は、要求されたコンテンツを送信する前に、リクエスタネットワークデバイスに鍵を要求すること、及び、この鍵要求をＨＤＤシステムへ送信した後に、ＨＤＤシステムから鍵を受信するのに必要な時間を求めること、を含む。
【００２０】
他の特徴では、この方法は、鍵が所定の期間内に受信された場合に、要求されたコンテンツをＨＤＤシステムへ送信することを含む。この所定の期間は単一ホップ期間又は２ホップ期間にほぼ等しい。この方法は、要求されたコンテンツをＨＤＤシステムへ送信する前に、要求されたコンテンツを暗号化することを含む。この方法は、要求されたコンテンツ内の使用量データをＨＤＤシステムへ送信することを含む。使用量データは、許可された使用回数を指定する。使用量データは、許可された使用期間を指定する。
【００２１】
ネットワークによってプロバイダネットワークデバイスと通信するハードディスクドライブ（ＨＤＤ）システムは、不揮発的な方法で、ユーザアクセス可能セクション及び隠しセクションにデータを記憶する不揮発性ＨＤＤメモリを備える。ハードディスクドライブ（ＨＤＤ）制御モジュールが、このＨＤＤ不揮発性メモリと通信し、プロバイダネットワークデバイスにコンテンツを選択的に要求してプロバイダネットワークデバイスからコンテンツを受信し、要求されたコンテンツを不揮発性ＨＤＤメモリの隠しセクションに記憶する。
【００２２】
他の特徴では、要求をプロバイダネットワークデバイスへ送信した後、ＨＤＤ制御モジュールは、鍵要求を受信し、この鍵要求に応答して、プロバイダネットワークデバイスへ鍵を送信する。プロバイダネットワークデバイスからＨＤＤシステムによって受信された、要求されたコンテンツは、鍵を使用して暗号化される。ＨＤＤ制御モジュールは、要求されたコンテンツを解読する。要求されたコンテンツは、同じく不揮発性ＨＤＤメモリの隠し部分に書き込まれる使用量データを含み、ＨＤＤ制御モジュールは、使用量データが、許可された使用を超過したことを示すと、要求されたコンテンツを利用不能にする。ＨＤＤシステムは、要求されたコンテンツを不揮発性ＨＤＤメモリから消去する。使用量データは、許可された所定の使用回数を指定する。使用量データは、許可された使用期間を指定する。ＨＤＤシステムは、ネットワークと無線で通信する。ＨＤＤシステムは、媒体によってネットワークと通信する。
【００２３】
他の特徴では、プロバイダネットワークデバイスは、デジタル多用途ディスク（ＤＶＤ）システムを含む。ネットワーク接続されたＤＶＤ／ＨＤＤシステムは、ＨＤＤシステムを備え、さらに、ＤＶＤシステム及びネットワークも備える。
【００２４】
ネットワークによってプロバイダネットワークデバイスと通信するハードディスクドライブ（ＨＤＤ）システムは、不揮発的な方法で、ユーザアクセス可能セクション及び隠しセクションにデータを記憶するための不揮発性メモリ手段を備える。制御手段が、この不揮発性メモリ手段と通信し、プロバイダネットワークデバイスにコンテンツを選択的に要求してプロバイダネットワークデバイスからコンテンツを受信し、要求されたコンテンツを不揮発性メモリ手段の隠しセクションに記憶する。
【００２５】
要求をプロバイダネットワークデバイスへ送信した後、制御手段は、鍵要求を受信し、この鍵要求に応答して、プロバイダネットワークデバイスへ鍵を送信する。プロバイダネットワークデバイスからこのシステムによって受信された、要求されたコンテンツは、鍵を使用して暗号化される。制御手段は、要求されたコンテンツを解読する。要求されたコンテンツは、同じく不揮発性メモリ手段の隠し部分に書き込まれる使用量データを含み、制御手段は、使用量データが、許可された使用を超過したことを示すと、要求されたコンテンツを利用不能にする。
【００２６】
他の特徴では、このシステムは、要求されたコンテンツを不揮発性メモリ手段から消去する。使用量データは、許可された所定の使用回数を指定する。使用量データは、許可された使用期間を指定する。ＨＤＤシステムは、ネットワークと無線で通信する。ＨＤＤシステムは、媒体によってネットワークと通信する。
【００２７】
他の特徴では、プロバイダネットワークデバイスは、デジタル多用途ディスク（ＤＶＤ）システムを含む。ネットワーク接続されたＤＶＤ／ＨＤＤシステムは、ＨＤＤシステムを備え、さらに、ＤＶＤシステム及びネットワークも備える。
【００２８】
ネットワークによってプロバイダネットワークデバイスと通信するハードディスクドライブ（ＨＤＤ）システムを動作させる方法は、ユーザアクセス可能セクション及び隠しセクションに不揮発的な方法でデータを記憶すること、プロバイダネットワークデバイスにコンテンツを選択的に要求してプロバイダネットワークデバイスからコンテンツを受信すること、及び、要求されたコンテンツを隠しセクションに記憶すること、を含む。
【００２９】
他の特徴では、この方法は、鍵要求を受信すること、及び、この要求をプロバイダネットワークデバイスへ送信した後、この鍵要求に応答して、プロバイダネットワークデバイスへ鍵を送信すること、を含む。この方法は、プロバイダネットワークデバイスからＨＤＤシステムによって受信された、要求されたコンテンツを、鍵を使用して暗号化することを含む。この方法は、要求されたコンテンツを解読することを含む。この方法は、使用量データを含む要求されたコンテンツを、隠し部分に書き込むこと、及び、使用量データが、許可された使用を超過したことを示すと、要求されたコンテンツを利用不能にすること、を含む。この方法は、要求されたコンテンツを隠しセクションから消去することを含む。この方法は、使用量データを使用して、許可された所定の使用回数を指定することを含む。この方法は、使用量データを使用して、許可された使用期間を指定することを含む。
【００３０】
ネットワークによってリクエスタネットワークデバイスと通信するデジタル多用途ディスク（ＤＶＤ）システムは、コンテンツを記憶する不揮発性メモリを備える。制御モジュールが、この不揮発性メモリと通信し、リクエスタネットワークデバイスからコンテンツの要求を選択的に受信し、ローカル／リモートステータスを判断し、リクエスタネットワークデバイスがローカルステータスを有する場合には要求されたコンテンツを送信し、リクエスタネットワークデバイスがリモートステータスを有する場合には要求されたコンテンツを送信しない。
【００３１】
他の特徴では、制御モジュールは、要求されたコンテンツを送信する前に、リクエスタネットワークデバイスに鍵を要求する。制御モジュールは、この鍵要求を送信した後に、リクエスタネットワークデバイスから鍵を受信するのに必要な時間を求める。制御モジュールは、鍵が所定の期間内に受信された場合に、要求されたコンテンツをリクエスタネットワークデバイスへ送信する。この所定の期間は単一ホップ期間又は２ホップ期間にほぼ等しい。制御モジュールは、要求されたコンテンツをリクエスタネットワークデバイスへ送信する前に、要求されたコンテンツを暗号化する。制御モジュールは、リクエスタネットワークデバイスへ送信される、要求されたコンテンツに、使用量データを含める。使用量データは、許可された使用回数を指定する。使用量データは、許可された使用期間を指定する。ＤＶＤシステムは、ネットワークと無線で通信する。ＤＶＤシステムは、媒体によってネットワークと通信する。
【００３２】
他の特徴では、リクエスタネットワークデバイスは、ハードディスクドライブ（ＨＤＤ）システムを含む。ネットワーク接続されたＤＶＤ／ＨＤＤシステムは、ＤＶＤシステムを備え、さらに、ＨＤＤシステム及びネットワークも備える。
【００３３】
ネットワークによってハードリクエスタネットワークデバイスと通信するデジタル多用途ディスク（ＤＶＤ）システムは、コンテンツを記憶する不揮発性メモリ手段を備える。制御手段が、この不揮発性メモリ手段と通信し、リクエスタネットワークデバイスからコンテンツの要求を選択的に受信し、ローカル／リモートステータスを判断し、リクエスタネットワークデバイスがローカルステータスを有する場合には要求されたコンテンツを送信し、リクエスタネットワークデバイスがリモートステータスを有する場合には要求されたコンテンツを送信しない。
【００３４】
他の特徴では、制御手段は、要求されたコンテンツを送信する前に、リクエスタネットワークデバイスに鍵を要求する。制御手段は、この鍵要求を送信した後に、リクエスタネットワークデバイスから鍵を受信するのに必要な時間を求める。制御手段は、鍵が所定の期間内に受信された場合に、要求されたコンテンツをリクエスタネットワークデバイスへ送信する。この所定の期間は２ホップ期間にほぼ等しい。この所定の期間は単一ホップ期間にほぼ等しい。制御手段は、要求されたコンテンツをリクエスタネットワークデバイスへ送信する前に、要求されたコンテンツを暗号化する。制御手段は、リクエスタネットワークデバイスへ送信される、要求されたコンテンツに、使用量データを含める。使用量データは、許可された使用回数を指定する。使用量データは、許可された使用期間を指定する。制御手段は、ネットワークと無線で通信する。ＤＶＤシステムは、媒体によってネットワークと通信する。
【００３５】
他の特徴では、リクエスタネットワークデバイスは、ハードディスクドライブ（ＨＤＤ）システムを含む。ネットワーク接続されたＤＶＤ／ＨＤＤシステムは、ＤＶＤシステムを備え、さらに、ＨＤＤシステム及びネットワークも備える。
【００３６】
ネットワークによってハードリクエスタネットワークデバイスと通信するデジタル多用途ディスク（ＤＶＤ）システムを動作させる方法は、不揮発性メモリにコンテンツを記憶すること、リクエスタネットワークデバイスからコンテンツの要求を選択的に受信すること、ローカル／リモートステータスを判断すること、リクエスタネットワークデバイスがローカルステータスを有する場合には要求されたコンテンツを送信すること、及び、リクエスタネットワークデバイスがリモートステータスを有する場合には要求されたコンテンツを送信しないこと、を含む。
【００３７】
他の特徴では、この方法は、要求されたコンテンツを送信する前に、リクエスタネットワークデバイスに鍵を要求することを含む。この方法は、この鍵要求を送信した後に、リクエスタネットワークデバイスから鍵を受信するのに必要な時間を求めることを含む。この方法は、鍵が所定の期間内に受信された場合に、要求されたコンテンツをリクエスタネットワークデバイスへ送信することを含む。この方法は、この所定の期間を２ホップ期間にほぼ等しく設定することを含む。この方法は、この所定の期間を単一ホップ期間にほぼ等しく設定することを含む。この方法は、要求されたコンテンツをリクエスタネットワークデバイスへ送信する前に、要求されたコンテンツを暗号化することを含む。この方法は、リクエスタネットワークデバイスへ送信される、要求されたコンテンツに、使用量データを含めることを含む。使用量データは、許可された使用回数を指定する。使用量データは、許可された使用期間を指定する。
【００３８】
ネットワークにおいてコンテンツを配信するためのシステムは、コンテンツを記憶するメモリと、このメモリと通信するプロバイダネットワークデバイスと、を備える。メディアサーバが、プロバイダネットワークデバイスと通信する。リクエスタネットワークデバイスが、コンテンツのコピーを要求する。メディアサーバは、リクエスタネットワークデバイスのローカル／リモートステータスを判断し、リクエスタネットワークデバイスがコンテンツを要求し、且つ、ローカルステータスを有する場合に、プロバイダネットワークデバイスがリクエスタネットワークデバイスへコンテンツのコピーを送信することを選択的に可能にする。
【００３９】
他の特徴では、プロバイダネットワークデバイスは、デジタル多用途ディスク（ＤＶＤ）システムを含む。リクエスタネットワークデバイスは、ハードディスクドライブ（ＨＤＤ）システムを含む。メディアサーバは、リクエスタネットワークデバイスのローカル／リモートステータスを判断するローカルネットワーク判断モジュールを含む。メディアサーバは、リクエスタネットワークデバイスの応答時間に基づいて、ローカル／リモートステータスを判断する。
【００４０】
他の特徴では、サーバが、メディアサーバと通信し、ローカルネットワークデバイスの識別データを記憶する。メディアサーバは、この識別データに基づいてローカル／リモートステータスを判断する。或いは、メディアサーバが、ローカルネットワークデバイスの識別データを記憶し、この識別データに基づいてローカル／リモートステータスを判断する。識別データは、ローカルネットワークデバイスの媒体アクセス制御（ＭＡＣ）アドレスを含む。
【００４１】
他の特徴では、ＨＤＤシステムは、不揮発的な方法でデータを記憶し、且つ、ユーザアクセス可能セクション及び隠しセクションを含む、不揮発性ＨＤＤメモリを備える。ハードディスクドライブ（ＨＤＤ）制御モジュールが、このＨＤＤ不揮発性メモリと通信し、メディアサーバにコンテンツを選択的に要求して、プロバイダネットワークデバイス及び／又はメディアサーバの少なくとも１つからコンテンツを受信し、要求されたコンテンツを不揮発性ＨＤＤメモリの隠しセクションに記憶する。要求をメディアサーバへ送信した後、ＨＤＤ制御モジュールは、鍵要求を受信し、この鍵要求に応答して、メディアサーバ及び／又はプロバイダネットワークデバイスの少なくとも１つへ鍵を送信する。プロバイダネットワークデバイス及び／又はメディアサーバの少なくとも１つからＨＤＤシステムによって受信された、要求されたコンテンツは、鍵を使用して暗号化される。ＨＤＤ制御モジュールは、要求されたコンテンツを解読する。要求されたコンテンツは、同じく不揮発性ＨＤＤメモリの隠し部分に書き込まれる使用量データを含む。ＨＤＤ制御モジュールは、使用量データが、許可された使用を超過したことを示すと、要求されたコンテンツを利用不能にする。ＨＤＤシステムは、要求されたコンテンツを不揮発性ＨＤＤメモリから消去する。使用量データは、許可された所定の使用回数を指定する。使用量データは、許可された使用期間を指定する。ＨＤＤシステムは、ネットワークと無線で通信する。ＨＤＤシステムは、有線媒体によってネットワークと通信する。
【００４２】
ＤＶＤシステムは、コンテンツを記憶する不揮発性メモリを備える。ＤＶＤ制御モジュールが、この不揮発性メモリと通信し、リクエスタネットワークデバイス及び／又はメディアサーバの少なくとも１つからコンテンツの要求を選択的に受信する。メディアサーバは、要求されたコンテンツを送信する前に、リクエスタネットワークデバイスに鍵を要求し、この鍵要求をＨＤＤシステムへ送信した後に、ＨＤＤシステムから鍵を受信するのに必要な時間を求める。鍵が所定の期間内に受信された場合に、メディアサーバは、ＤＶＤシステムが、要求されたコンテンツをＨＤＤシステム及び／又はメディアサーバの少なくとも１つへ送信することを可能にする。この所定の期間は２ホップ期間にほぼ等しい。この所定の期間は単一ホップ期間にほぼ等しい。
【００４３】
他の特徴では、ＤＶＤシステム及び／又はメディアサーバの少なくとも１つは、要求されたコンテンツをＨＤＤシステムへ送信する前に、要求されたコンテンツを暗号化する。ＤＶＤ制御モジュール及び／又はメディアサーバの少なくとも１つは、ＨＤＤシステムへ送信される、要求されたコンテンツに、使用量データを含める。使用量データは、許可された使用回数を指定する。使用量データは、許可された使用期間を指定する。ＤＶＤシステムは、ネットワークと無線で通信する。ＤＶＤシステムは、有線媒体によってネットワークと通信する。
【００４４】
ネットワークにおいてコンテンツを配信するためのシステムは、コンテンツを記憶するためのメモリ手段を備える。プロバイダネットワーク手段が、このメモリ手段との通信を提供する。メディアサービング手段が、プロバイダネットワーク手段との通信を受け持つ。リクエスタネットワーク手段が、コンテンツのコピーを要求する。メディアサービング手段は、リクエスタネットワーク手段のローカル／リモートステータスを判断し、リクエスタネットワーク手段がコンテンツを要求し、且つ、ローカルステータスを有する場合に、プロバイダネットワーク手段が、コンテンツのコピーをリクエスタネットワーク手段へ送信することを選択的に可能にする。
【００４５】
他の特徴では、プロバイダネットワーク手段は、デジタル多用途ディスク（ＤＶＤ）システムを含む。リクエスタネットワーク手段は、ハードディスクドライブ（ＨＤＤ）システムを含む。メディアサービング手段は、リクエスタネットワーク手段のローカル／リモートステータスを判断するためのローカルネットワーク判断手段を含む。メディアサービング手段は、リクエスタネットワーク手段の応答時間に基づいて、ローカル／リモートステータスを判断する。サーバ手段が、プロバイダネットワーク手段との通信を受け持ち、ローカルネットワーク手段の識別データを記憶する。メディアサービング手段は、識別データに基づいてローカル／リモートステータスを判断する。或いは、メディアサービング手段が、ローカルネットワーク手段の識別データを記憶する。識別データは、ローカルネットワーク手段の媒体アクセス制御（ＭＡＣ）アドレスを含む。
【００４６】
他の特徴では、ＨＤＤシステムは、不揮発的な方法でデータを記憶し、且つ、ユーザアクセス可能セクション及び隠しセクションを含む、不揮発性ＨＤＤメモリ手段を備える。ハードディスクドライブ（ＨＤＤ）制御手段が、このＨＤＤ不揮発性メモリ手段と通信し、メディアサービング手段にコンテンツを選択的に要求して、メディアサービング手段からコンテンツを受信し、要求されたコンテンツを不揮発性ＨＤＤメモリ手段の隠しセクションに記憶する。要求をメディアサービング手段へ送信した後、ＨＤＤ制御手段は、鍵要求を受信し、この鍵要求に応答して、プロバイダネットワーク手段及び／又はメディアサービング手段の少なくとも１つへ鍵を送信する。プロバイダネットワーク手段及び／又はメディアサービング手段の少なくとも１つからＨＤＤシステムによって受信された、要求されたコンテンツは、鍵を使用して暗号化される。ＨＤＤ制御手段は、要求されたコンテンツを解読する。要求されたコンテンツは、同じく不揮発性ＨＤＤメモリ手段の隠し部分に書き込まれる使用量データを含み、ＨＤＤ制御手段は、使用量データが、許可された使用を超過したことを示すと、要求されたコンテンツを利用不能にする。ＨＤＤシステムは、要求されたコンテンツを不揮発性ＨＤＤメモリ手段から消去する。使用量データは、許可された所定の使用回数を指定する。使用量データは、許可された使用期間を指定する。ＨＤＤシステムは、ネットワークと無線で通信する。ＨＤＤシステムは、有線媒体によってネットワークと通信する。
【００４７】
他の特徴では、ＤＶＤシステムは、コンテンツを記憶する不揮発性メモリ手段と、この不揮発性メモリ手段と通信し、メディアサービング手段からコンテンツの要求を選択的に受信するためのＤＶＤ制御手段とを備える。メディアサービング手段は、要求されたコンテンツを送信する前に、リクエスタネットワーク手段に鍵を要求し、この鍵要求をＨＤＤシステムへ送信した後に、ＨＤＤシステムから鍵を受信するのに必要な時間を求める。鍵が所定の期間内に受信された場合に、ＤＶＤ制御手段及び／又はメディアサービング手段の少なくとも１つは、要求されたコンテンツをＨＤＤシステムへ送信する。この所定の期間は２ホップ期間にほぼ等しい。この所定の期間は単一ホップ期間にほぼ等しい。ＤＶＤ制御手段及び／又はメディアサービング手段の少なくとも１つは、要求されたコンテンツをＨＤＤシステムへ送信する前に、要求されたコンテンツを暗号化する。ＤＶＤ制御手段及び／又はメディアサービング手段の少なくとも１つは、ＨＤＤシステムへ送信される、要求されたコンテンツに、使用量データを含める。使用量データは、許可された使用回数を指定する。使用量データは、許可された使用期間を指定する。ＤＶＤシステムは、ネットワークと無線で通信する。ＤＶＤシステムは、有線媒体によってネットワークと通信する。
【００４８】
ネットワークにおいてコンテンツを配信するための方法は、メモリにコンテンツを記憶すること、このメモリと通信するプロバイダネットワークデバイスを設けること、このプロバイダネットワークデバイスと通信するメディアサービングデバイスを設けること、コンテンツのコピーを要求するリクエスタネットワークデバイスを設けること、メディアサービングデバイスを使用してリクエスタネットワークデバイスのローカル／リモートステータスを判断すること、及び、リクエスタネットワークデバイスがコンテンツを要求し、且つ、ローカルステータスを有する場合に、コンテンツのコピーをリクエスタネットワークデバイスへ選択的に送信すること、を含む。
【００４９】
他の特徴では、プロバイダネットワークデバイスは、デジタル多用途ディスク（ＤＶＤ）システムを含む。リクエスタネットワークデバイスは、ハードディスクドライブ（ＨＤＤ）システムを含む。この方法は、リクエスタネットワークデバイスのローカル／リモートステータスを判断することを含む。この方法は、リクエスタネットワークデバイスの応答時間に基づいて、ローカル／リモートステータスを判断することを含む。この方法は、ローカルネットワークデバイスの識別データを記憶することを含む。メディアサービングデバイスは、この識別データに基づいてローカル／リモートステータスを判断する。この方法は、ローカルネットワークデバイスの媒体アクセス制御（ＭＡＣ）アドレスを記憶することを含む。
【００５０】
他の特徴では、この方法は、ＨＤＤシステムのユーザアクセス可能セクション及び隠しセクションに不揮発的な方法でデータを記憶すること、メディアサービングデバイスを介して、プロバイダネットワークデバイスにコンテンツを選択的に要求してプロバイダネットワークデバイスからコンテンツを受信すること、及び、要求されたコンテンツを不揮発性ＨＤＤメモリの隠しセクションに記憶すること、を含む。
【００５１】
他の特徴では、この方法は、鍵要求を受信すること、及び、この要求をメディアサービングデバイスへ送信した後、この鍵要求に応答して、メディアサービングデバイスへ鍵を送信すること、を含む。この方法は、プロバイダネットワークデバイス及び／又はメディアサービングデバイスの少なくとも１つからＨＤＤシステムによって受信された、要求されたコンテンツを、鍵を使用して暗号化することを含む。この方法は、要求されたコンテンツを解読することを含む。この方法は、使用量データを含む要求されたコンテンツを、不揮発性ＨＤＤメモリの隠し部分に書き込むこと、及び、使用量データが、許可された使用を超過したことを示すと、要求されたコンテンツを利用不能にすること、を含む。
【００５２】
他の特徴では、この方法は、要求されたコンテンツを不揮発性ＨＤＤメモリから消去することを含む。この方法は、使用量データを使用して、許可された所定の使用回数を指定することを含む。この方法は、使用量データを使用して、許可された使用期間を指定することを含む。
【００５３】
この方法は、コンテンツをプロバイダネットワークデバイスに記憶すること、及び、メディアサービングデバイスを介して、リクエスタネットワークデバイスからコンテンツの要求を選択的に受信すること、を含む。この方法は、要求されたコンテンツを送信する前に、リクエスタネットワークデバイスに鍵を要求すること、及び、この鍵要求をＨＤＤシステムへ送信した後に、ＨＤＤシステムから鍵を受信するのに必要な時間を求めること、を含む。この方法は、鍵が所定の期間内に受信された場合に、要求されたコンテンツをＨＤＤシステムへ送信することを含む。この所定の期間は２ホップ期間にほぼ等しい。この所定の期間は単一ホップ期間にほぼ等しい。この方法は、要求されたコンテンツをＨＤＤシステムへ送信する前に、要求されたコンテンツを暗号化することを含む。この方法は、要求されたコンテンツ内の使用量データをＨＤＤシステムへ送信することを含む。使用量データは、許可された使用回数を指定する。使用量データは、許可された使用期間を指定する。
【００５４】
本発明のさらに別の適用分野は、以下に設けられた発明を実施するための最良の形態から明らかになろう。発明を実施するための最良の形態及び具体的な例は、本発明の好ましい実施の形態を示しているが、単なる例示を目的としており、本発明の範囲を限定することを目的とするものでないことが理解されるべきである。
【００５５】
本発明は、発明を実施するための最良の形態及び添付図面からより十分に理解されることになる。
【発明を実施するための最良の形態】
【００５６】
好ましい実施の形態（複数可）の以下の説明は、本質的に単なる例示であり、決して、本発明、その用途、又は使用を限定することを目的とするものではない。本明細書では、モジュール又はデバイスという用語は、説明する機能を提供する１つ若しくは２つ以上のソフトウェアプログラム若しくはファームウェアプログラム、組み合わせ論理回路、及び／又は他の適切なコンポーネントを実行する特定用途向け集積回路（ＡＳＩＣ）、電子回路、プロセッサ（共有、専用、又はグループ）、及びメモリを指す。明確にするために、図面では、同様の要素を特定するのに同じ参照符号を使用するものとする。
【００５７】
次に図１を参照して、ローカルネットワーク２は、ルータ３、モデム４、及びプロバイダネットワークデバイス５を含む。このプロバイダネットワークデバイス５は、以下に説明するように、１つ又は２つ以上のローカルリクエスタネットワークデバイスに保護コンテンツ６を選択的に供給する。プロバイダネットワークデバイス５は、ローカルネットワーク判断モジュール７を含むネットワーク互換デバイスである。１つ又は２つ以上のリクエスタネットワークデバイス８−１、８−２、…及び８−Ｎ（リクエスタ８と総称する）は、保護コンテンツ６のコピーを選択的に要求する。十分理解できるように、ルータ３及びワイヤライン接続が示されているが、当業者には、他のネットワーク構成も明らかであろう。他のネットワーク構成には、無線アクセスポイント（ＡＰ）、アドホックネットワーク接続構成、及び／又は無線ネットワーク構成が含まれるが、これらに限定されるものではない。プロバイダネットワークデバイス５は、保護コンテンツ６用の不揮発性メモリ等のメモリを含むものとして示されているが、保護コンテンツ６は、プロバイダネットワークデバイス５の内部及び／又は外部に記憶することができる。
【００５８】
モデム４は、ブロードバンドサービスプロバイダ９に接続されている。このブロードバンドサポートプロバイダ９は、ビデオコンテンツ、デジタルコンテンツ、分散通信システム（ＤＣＳ）１０へのブロードバンド接続、及び／又は他のネットワークサービスを提供する。サービスプロバイダ９は、有線接続若しくは無線接続、同軸ケーブル、デジタル加入者線（ＤＳＬ）、衛星、及び／又は他の任意の接続システム若しくは接続方法を使用してブロードバンドアクセスを提供することができる。
【００５９】
ＤＣＳ１０は、１つ又は２つ以上のサーバ１１−１、１１−２、…、及び１１−Ｍによって、ネットワークデバイス１２−１１、１２−１２、…、１２−１Ｐ、１２−２１、１２−２２、…、１２−２Ｐ、…、及び１２−Ｍ１、１２−Ｍ２、…、１２−ＭＰ（ネットワークデバイス１２と総称する）に接続されている。ローカルネットワーク判断モジュール７は、リクエスタネットワークデバイスが保護コンテンツ６のコピーを要求した時に、当該リクエスタネットワークデバイスがローカルステータスを有するのか、それともリモートステータスを有するのかを選択的に判断する。この手法は、リモートネットワークデバイスによる保護コンテンツへのアクセスを阻止することによってセキュリティを増大させる。
【００６０】
ローカルネットワーク判断モジュール７がリクエスタネットワークデバイスのローカル／リモートステータスを判断するための方法には多くの異なる方法がある。たとえば、いくつかの実施態様では、プロバイダネットワークデバイス５は、リクエスタネットワークデバイスからの応答を受信するのに必要な時間を求めることによってローカル／リモートステータスを判断する。応答時間が所定の期間よりも小さい場合には、リクエスタネットワークデバイスは、ローカルステータスを有すると判断される。応答時間が所定の期間よりも大きい場合には、リクエスタネットワークデバイスは、リモートステータスを有し、保護コンテンツのコピーは拒否される。サービスプロバイダ９、ＤＣＳ１０、及びサーバ１１を介したリモートネットワークデバイス１２へのデータの送信及び受信に必要な時間は、ローカルリクエスタネットワークデバイスが応答するのに必要な時間よりも極めて大きい。換言すれば、所定の期間は、ローカルリクエスタネットワークデバイスによって必要とされる応答時間よりも大きく、且つ、リモートリクエスタネットワークデバイスによって必要とされる応答時間よりも小さく設定される。
【００６１】
他の実施態様では、プロバイダネットワークデバイスは、動的ホスト構成プロトコル（ＤＨＣＰ）サーバのＤＨＣＰテーブルをチェックして、ローカルネットワークデバイスの媒体アクセス制御（ＭＡＣ）アドレスを求める。リクエスタネットワークデバイスが、そのテーブルのローカルＭＡＣアドレスと一致した場合、リクエスタネットワークデバイスは、ローカルステータスを有し、保護コンテンツのコピーを送信することができる。一致しない場合、リクエスタネットワークデバイスは、リモートステータスを有し、保護コンテンツのコピーは送信されない。
【００６２】
さらに他の実施態様では、プロバイダネットワークデバイス５は、サービスプロバイダ９（及びＤＣＳ１０）に対するルータ３又はモデム４の外部ポートを一時的にブロックするためのメッセージをルータ３へ送信することができる。外部ポートのブロック後、プロバイダネットワークデバイス５は、リクエスタネットワークデバイスがまだ通信可能であるかどうかを判断する（この判断は、リクエスタネットワークデバイスがローカルステータスを有する場合に真となる）。プロバイダネットワークデバイスが、要求側ネットワークデバイスと通信できる場合、プロバイダネットワークデバイスは、コピープロテクトされたコンテンツを送信する。当業者には十分理解できるように、これらの手法の１つ又は２つ以上を組み合わせることもでき、且つ／又は、他の手法を使用して、リクエスタネットワークデバイスのローカル／リモートステータスを判断することもできる。
【００６３】
以下の説明部分は、プロバイダネットワークデバイスとしてＤＶＤシステム及び／又はＤＶＤ／ＨＤＤ結合システムを使用し、リクエスタネットワークデバイスとしてＤＶＤ／ＨＤＤ結合システム及び／又はＨＤＤシステムを含む別のネットワークデバイスを使用するが、当業者には、他のプロバイダネットワークデバイス及び／又はリクエスタネットワークデバイスを使用できることが十分理解されよう。また、当業者には、ＤＶＤシステム及びＨＤＤシステムと共に以下で説明する実施態様のすべてが、他の任意の適切なネットワークデバイスと共に実施できることも理解されよう。
【００６４】
次に図２を参照して、ネットワーク接続された第１の例示のＤＶＤ及びＨＤＤのシステムの機能ブロック図が示されている。ローカルネットワーク１３は、媒体１６によってサービスプロバイダ１８と通信するモデム１４を含む。サービスプロバイダ１８は、インターネット、ＬＡＮ、ＷＡＮ、他の分散ネットワーク等の分散通信システム（ＤＣＳ）２２への接続を提供し、且つ／又は、ビデオコンテンツ、電話サービス等の他のネットワークサービスを提供する。モデム１４は、ルータ２８に接続することができる。ルータ２８は、複数のネットワークデバイス３０−１、３０−２、…、及び３０−Ｎ（一括してネットワークデバイス３０）をモデム１４に接続する。ネットワークデバイスの１つ３０−１は、ハードディスクドライブ（ＨＤＤ）システム３４に接続されている。ＨＤＤシステム３４は、テレビ又はモニタ３８に接続することができる。このテレビ又はモニタ３８も、媒体１６に、直接又はセットトップボックス（図示せず）を通じて接続することができ、サービスプロバイダ１８からコンテンツを受信することができる。
【００６５】
ローカルネットワーク１３は、ルータ２８及び１つ又は２つ以上の無線局４２−１、４２−２、…、及び４２−Ｎ（一括して無線局４２）と通信するアクセスポイント（ＡＰ）４０を含むことができる。ＡＰ４０は、ルータ２８に接続されたものとして示されているが、ＡＰの機能及びルータの機能は、単一のデバイスに結合することができる。或いは、結合されたＡＰ／ルータをモデム１４に直接接続することもできる。さらに他のタイプのネットワーク構成及び接続も当業者には明らかであろう。
【００６６】
ネットワークデバイス３０−２は、ルータ２８と通信し、２００５年１月１９日に出願された米国特許出願第１１／０３９，２８８号に図示及び説明されたもの等のＤＶＤプレイヤ又はＤＶＤ／ＨＤＤ結合プレイヤ４４（以下、共に「ＤＶＤプレイヤ４４」と呼ぶ）と通信する。この米国特許出願は、参照によりその全内容が本明細書に援用される。次に、ＤＶＤプレイヤ４４は、テレビ又はモニタ４６と通信することができる。テレビ又はモニタ４６は、媒体１６又はセットトップボックス５０に接続することができる。サービスプロバイダ１８は、ＤＣＳ２２へのブロードバンドアクセス、ビデオコンテンツ、及び／又は他のサービスを提供する。１つ又は２つ以上の他のサーバ５４−１及び５４−２（一括してサーバ５４）は、ネットワークデバイス６０、コンピュータ６２、携帯情報端末（ＰＤＡ）等のインターフェースをＤＣＳ２２に提供する。
【００６７】
いくつかの実施態様では、テレビ又はモニタ３８のユーザは、ＤＶＤプレイヤ４４に関連したＤＶＤコンテンツにアクセスしたい場合がある。まず、ＨＤＤ３４は、利用可能なコンテンツのリストをＤＶＤプレイヤに要求することができる。ＤＶＤプレイヤは、利用可能なコンテンツのリストを送信する。ＨＤＤ３４は、そのリストから選択されたコンテンツのコピーを要求するメッセージを、ネットワークを介してＤＶＤプレイヤ４４へ送信する。ＤＶＤシステムは、ＨＤＤシステムがローカルステータスを有するかどうかを判断する。ＨＤＤシステム又は他のリクエスタネットワークデバイスがローカルステータスを有する場合、コンテンツファイルが送信される。ＨＤＤシステム又は他のリクエスタネットワークデバイスがリモートステータスを有する場合、要求は拒否される。ローカル／リモートステータスの判断は、応答時間、ＤＨＣＰテーブルのＭＡＣアドレス、外部ポートの断線及び対応するダイアログ、並びに／又は他の適切な方法に基づいて行うことができる。
【００６８】
いくつかの実施態様では、ＤＶＤプレイヤ４４は、ＨＤＤ３４に鍵を要求することによって応答する。ＤＶＤプレイヤ４４は、ＨＤＤ３４が応答するのに必要な時間を求めるタイマを始動する。ＨＤＤ３４は、要求された鍵をＤＶＤプレイヤ４４へ送信する。ＤＶＤプレイヤ４４は、ＨＤＤ３４が所定の時間内に応答したかどうかを判断する。
【００６９】
ＨＤＤ３４が所定の時間内に応答した場合、ＤＶＤプレイヤ４４は、選択されたコンテンツを鍵でスクランブルして、そのスクランブルされたコンテンツをネットワークによりＨＤＤ３４へ送信する。ＨＤＤ３４は、そのコンテンツを鍵でスクランブル解除し、テレビ又はモニタ３８でコンテンツの再生を可能にする。十分理解できるように、鍵の交換は、ＨＤＤが利用可能なコンテンツを最初に要求する時に早めに行うこともできる。
【００７０】
また、ＨＤＤ３４は、使用を制約するＤＶＤプレイヤから使用量データを受信することもできる。たとえば、この使用量データは、Ｎ回の再生及び／又は所定の期間の間の再生を許可することができる。使用量データに指定されたような許可された使用期間が経過した後、ＨＤＤ３４は、ビデオコンテンツを利用不能にする。たとえば、ＨＤＤはビデオコンテンツを消去する場合がある。
【００７１】
いくつかの実施態様では、ＨＤＤ３４は、ユーザアクセス可能セクション及び隠しセクションを含む。ＤＶＤプレイヤ４４からのビデオコンテンツは、ＤＶＤプレイヤ４４の隠しセクションに記憶される。ＨＤＤ３４によって提供される鍵は、公開／私有鍵暗号化システム及び／又は他の適切なデータ暗号化の一部とすることができる。或いは、他の形式の、鍵に基づくスクランブルを実行することもできる。
【００７２】
ＤＶＤプレイヤが単一のＤＶＤプレイヤである場合、ＤＶＤプレイヤは、そのＤＶＤプレイヤのＤＶＤで利用可能なコンテンツのリストを送信する。ＤＶＤプレイヤが回転トレーを含む場合、ＤＶＤプレイヤは、回転トレーのＤＶＤから入手できるＤＶＤコンテンツのリストを送信する。ＤＶＤプレイヤがＤＶＤ／ＨＤＤ結合プレイヤである場合、ＤＶＤ／ＨＤＤプレイヤは、関連したＨＤＤに記憶されたＤＶＤコンテンツと共に、そのプレイヤの１つ又は複数のＤＶＤで利用可能なＤＶＤコンテンツのリストを送信する。
【００７３】
次に図３〜図５を参照して、本発明のさまざまな例示の構成が示されている。これらの実施態様では、プロバイダネットワークデバイスは、ＤＶＤシステム及び／又はＤＶＤ／ＨＤＤ結合システムを含み、リクエスタネットワークデバイスは、ＨＤＤシステム及び／又はＤＶＤ／ＨＤＤ結合システムを含む。図３では、ＨＤＤ３４は、局４２−１によってネットワークに接続されている。局４２−１は、ＡＰ４０と無線通信を行う。ＤＶＤプレイヤ４４及びテレビ４６は、ネットワークデバイス３０−２及び媒体１６によってルータ２８に接続されている。図４では、ＨＤＤ３４は、ネットワークデバイス３０−１及び媒体１６によってルータ２８に接続されている。ＤＶＤプレイヤ４４は、局４２−２によってネットワークに接続されている。局４２−２は、ＡＰ４０と無線通信を行う。図５では、ＨＤＤ３４及びＤＶＤプレイヤ４４は、１つ又は２つ以上の局４２−１及び／又は４２−２によってネットワークに接続されている。他のさまざまなネットワーク構成が当業者には明らかであろう。
【００７４】
次に図６を参照して、例示のリクエスタネットワークデバイスは、ＨＤＤ  ＰＣＢ１１４を有するＨＤＤシステム１１０を含む。バッファ１１８は、読み出しデータ、書き込みデータ、及び／又は、ＨＤＤシステム１１０の制御に関連した揮発性制御データを記憶する。バッファ１１８は、通例、待ち時間の小さな揮発性メモリを使用する。たとえば、ＳＤＲＡＭ又は他のタイプの待ち時間の小さなメモリを使用することができる。また、フラッシュメモリ等の不揮発性メモリ１１９も、不揮発性制御コード等の重要なデータを記憶するのに設けることができる。
【００７５】
ＨＤＤ  ＰＣＢ１１４に配置されたプロセッサ１２２は、ＨＤＤシステム１１０のオペレーションに関係したデータ処理及び／又は制御処理を実行する。ハードディスク制御モジュール（ＨＤＣ）１２６は、入出力インターフェース１２４、並びに、スピンドル／音声コイルモータ（ＶＣＭ）ドライバ若しくはモジュール１３０及び／又は読み出し／書き込みチャネルモジュール１３４と通信する。ＨＤＣ１２６は、スピンドル／ＶＣＭドライバ１３０、読み出し／書き込みチャネルモジュール１３４、及びプロセッサ１２２、並びに、インターフェース１２４を介したホスト１３５とのデータ入出力の制御を調整する。
【００７６】
書き込みオペレーション中、読み出し／書き込みチャネルモジュール１３４は、読み出し／書き込みデバイス１５９に書き込まれるデータを符号化する。読み出し／書き込みチャネルモジュール１３４は、信頼性のために書き込み信号を処理し、たとえば、誤り訂正符号化（ＥＣＣ）、ランレングス制限符号化（ＲＬＬ）等を適用することができる。読み出しオペレーション中、読み出し／書き込みチャネルモジュール１３４は、読み出し／書き込みデバイス１５９のアナログ読み出し信号出力をデジタル読み出し信号に変換する。次に、変換された信号は、既知の技術によって検出されて復号され、ＨＤＤに書き込まれたデータが回復される。
【００７７】
ハードディスクドライブアセンブリ（ＨＤＤＡ）１５０は、１つ又は２つ以上のハードドライブプラッタ１５２を含む。このハードドライブプラッタ１５２は、磁界を記憶する磁気コーティングを含む。プラッタ１５２は、１５４に概略的に示すスピンドルモータによって回転する。一般に、スピンドルモータ１５４は、読み出し／書き込みオペレーション中、制御された速度でハードドライブプラッタ１５２を回転させる。１つ又は２つ以上の読み出し／書き込みアーム１５８が、プラッタ１５２に対して移動し、ハードドライブプラッタ１５２からデータを読み出し、且つ／又は、ハードドライブプラッタ１５２へデータを書き込む。スピンドル／ＶＣＭドライバ１３０は、スピンドルモータ１５４を制御する。スピンドルモータ１５４は、プラッタ１５２を回転させる。また、スピンドル／ＶＣＭドライバ１３０は、たとえば、音声コイルアクチュエータ、ステッパモータ、又は他の任意の適切なアクチュエータを使用して、読み出し／書き込みアーム１５８を位置付ける制御信号も生成する。
【００７８】
読み出し／書き込みデバイス１５９は、読み出し／書き込みアーム１５８の遠位端の近くに配置される。読み出し／書き込みデバイス１５９は、磁界を生成するインダクタ等の書き込み素子を含む。また、読み出し／書き込みデバイス１５９は、プラッタ１５２の磁界を検知する読み出し素子（磁気抵抗（ＭＲ）素子等）も含む。ＨＤＤＡ１５０は、アナログ読み出し／書き込み信号を増幅するプリアンプ回路１６０を含む。データの読み出し時に、プリアンプ回路１６０は、読み出し素子からの低レベルの信号を増幅して、その増幅された信号を読み出し／書き込みチャネルモジュール１３４に出力する。データの書き込み時に、読み出し／書き込みデバイス１５９の書き込み素子を流れる書き込み電流が生成される。この書き込み電流はスイッチングされて、正極性又は負極性を有する磁界を生成する。正極性又は負極性は、ハードドライブプラッタ１５２によって記憶され、データを表すのに使用される。
【００７９】
次に図７Ａ及び図７Ｂを参照して、例示のプロバイダネットワークデバイスは、ＤＶＤシステム２１０を含む。ＤＶＤ  ＰＣＢ２１４は、バッファ２１８を含む。このバッファ２１８は、読み出しデータ、書き込みデータ、及び／又は、ＤＶＤシステム２１０の制御に関連した揮発性制御コードを含む。バッファ２１８は、ＳＤＲＡＭや他のタイプの待ち時間の小さなメモリ等の揮発性メモリを使用することができる。また、フラッシュメモリ等の不揮発性メモリ２１９も、ＤＶＤ書き込みフォーマット及び／又は他の不揮発性制御コードに関するデータ等の重要なデータに使用することができる。ＤＶＤ  ＰＣＢ２１４に配置されたプロセッサ２２２は、ＤＶＤシステム２１０のオペレーションに関係したデータ処理及び／又は制御処理を実行する。また、プロセッサ２２２は、必要に応じて、コピープロテクトの復号及び／又は圧縮／伸張も実行する。ＤＶＤ制御モジュール２２６は、入出力インターフェース２２４、並びに、スピンドル／フィードモータ（ＦＭ）ドライバ２３０及び／又は読み出し／書き込みチャネルモジュール２３４と通信する。ＤＶＤ制御モジュール２２６は、スピンドル／ＦＭドライバ、読み出し／書き込みチャネルモジュール２３４、及びプロセッサ２２２、並びに、インターフェース２２４を介したデータ入出力の制御を調整する。
【００８０】
書き込みオペレーション中、読み出し／書き込みチャネルモジュール２３４は、光学式読み出し／書き込み（ＯＲＷ）デバイス又は光学式読み出し専用（ＯＲ）デバイス２５９によってＤＶＤプラッタに書き込まれるデータを符号化する。読み出し／書き込みチャネルモジュール２３４は、信頼性のために信号を処理し、たとえば、ＥＣＣ、ＲＬＬ等を適用することができる。読み出しオペレーション中、読み出し／書き込みチャネルモジュール２３４は、ＯＲＷデバイス又はＯＲデバイス２５９のアナログ出力をデジタル信号に変換する。次に、変換された信号は、既知の技術によって検出されて復号され、ＤＶＤに書き込まれたデータが回復される。
【００８１】
ＤＶＤアセンブリ（ＤＶＤＡ）２５０は、データを光学的に記憶するＤＶＤプラッタ２５２を含む。プラッタ２５２は、２５４に概略的に示すスピンドルモータによって回転する。スピンドルモータ２５４は、読み出し／書き込みオペレーション中、制御された速度及び／又は可変速度でＤＶＤプラッタ２５２を回転させる。ＯＲＷデバイス又はＯＲデバイス２５９が、ＤＶＤプラッタ２５２に対して移動し、ＤＶＤプラッタ２５２からデータを読み出し、且つ／又は、ＤＶＤプラッタ２５２へデータを書き込む。ＯＲＷデバイス又はＯＲデバイス２５９は、通常、レーザ及び光センサを含む。
【００８２】
ＤＶＤ読み出し／書き込みシステム及びＤＶＤ読み出し専用システムでは、レーザは、読み出しオペレーション中、ランド及びピットを含むＤＶＤ上のトラックに向けられる。光センサは、ランド／ピットによって引き起こされた反射を検知する。いくつかの読み出し／書き込み（ＲＷ）アプリケーションでは、書き込みオペレーション中、ＤＶＤプラッタのダイ層を過熱するのにもレーザが使用される場合がある。ダイが或る温度に過熱されると、ダイは、透明になり、或る２進数値を表す。ダイが別の温度に過熱されると、ダイは、不透明になり、他の２進数値を表す。ＤＶＤを書き込むための他の技法を使用することもできる。
【００８３】
スピンドル／ＦＭドライバ２３０は、スピンドルモータ２５４を制御する。スピンドルモータ２５４は、ＤＶＤプラッタ２５２を制御可能に回転させる。また、スピンドル／ＦＭドライバ２３０は、たとえば、音声コイルアクチュエータ、ステッパモータ、又は他の任意の適切なアクチュエータを使用して、フィードモータ２５８を位置付ける制御信号も生成する。フィードモータ２５８は、通常、ＯＲＷデバイス又はＯＲデバイス２５９を、ＤＶＤプラッタ２５２に対して半径方向に移動させる。レーザドライバ２６１は、読み出し／書き込みチャネルモジュール２３４の出力に基づいて、レーザドライブ信号を生成する。ＤＶＤＡ２５０は、アナログ読み出し信号を増幅するプリアンプ回路２６０を含む。データの読み出し時に、プリアンプ回路２６０は、ＯＲＷデバイス又はＯＲデバイスからの低レベルの信号を増幅して、その増幅された信号を読み出し／書き込みチャネルモジュールデバイス２３４に出力する。
【００８４】
ＤＶＤシステム２１０は、コーデックモジュール２４０をさらに含む。このコーデックモジュール２４０は、ＭＰＥＧフォーマットのいずれか等のビデオの符号化及び／又は復号を行う。音響デジタル信号プロセッサ及び／若しくはモジュール２４２、並びに／又は、ビデオデジタル信号プロセッサ及び／若しくはモジュール２４４は、音響信号処理及び／又はビデオ信号処理をそれぞれ実行する。
【００８５】
ＨＤＤシステム１１０と同様に、ＤＶＤシステム２１０の複数の部分は、１つ又は２つ以上の集積回路（ＩＣ）又はチップによって実施することができる。たとえば、プロセッサ２２２及びＤＶＤ制御モジュール２２６は、単一のチップによって実施することができる。スピンドル／ＦＭドライバ２３０及び／又は読み出し／書き込みチャネルモジュール２３４も、プロセッサ２２２、ＤＶＤ制御モジュール２２６と同じチップによって実施することができ、且つ／又は、追加されたチップによって実施することができる。また、ＤＶＤＡ２５０以外のＤＶＤシステム２１０のほとんども、ＳＯＣとして実施することができる。
【００８６】
次に図７Ｃを参照して、本発明のいくつかの実施態様による例示のＤＶＤ／ＨＤＤ結合システム２８０の簡略機能ブロック図が示されている。このＤＶＤ／ＨＤＤ結合システムは、プロバイダネットワークデバイス又はリクエスタネットワークデバイスとして使用することができる。ＤＶＤ／ＨＤＤ結合システム２８０は、不揮発性メモリ２９０及び揮発性メモリ２９２と通信する結合システム制御モジュール２８４を含む。これらのメモリは、ＤＶＤ及びＨＤＤの双方のオペレーション用のデータを記憶する。システム制御モジュール２８４は、インターフェース２９４を介して、ホスト２９８のインターフェース２９６と通信する。いくつかの実施態様では、インターフェース２９４及び２９６は、シリアルＡＴＡインターフェース、ファイバチャネル（ＦＣ）、シリアル接続小型コンピュータシステムインターフェース（ＳＡＳ）、又は、他の適切なインターフェースである。
【００８７】
ＤＶＤ／ＨＤＤ結合システムは、ＤＶＤシステム及びＨＤＤシステムの双方を制御する。ＤＶＤ／ＨＤＤシステムは、システム全体のコストを低減し、改善された機能及び性能を提供する。コストは、ＤＶＤ及びＨＤＤの双方のデータストレージ用の単一のＤＲＡＭ及びフラッシュメモリの使用を通じて削減される。単一の電源装置が必要とされ、また、外部接続の個数の削減が必要とされ、これによって、コストがさらに低減される。
【００８８】
これに加えて、ＤＶＤ／ＨＤＤ統合システムにより、コピープロテクトされたコンテンツをＨＤＤへ直接、ビットごとにコピーすることが可能になる。換言すれば、コピープロテクト方式もデジタル著作権管理（ＤＲＭ）も解読することなく、且つ、大幅なオペレーティングシステムの関与も必要とすることなく、コピープロテクトされたコンテンツをコピーすることができる。従来の別々のＤＶＤシステム及びＨＤＤシステムは、出力する前に、ＤＶＤがＤＲＭ又は他のコピープロテクトを復号／解読する必要がある。ＤＲＭ又は他のコピープロテクトは、ＨＤＤへのその後のコピーを許可する場合もあるし、許可しない場合もある。システムを結合することによって、ＤＲＭ又はコピープロテクトは元のままの状態であるので、コピープロテクト方式又はＤＲＭ方式のセキュリティが内蔵されていることに起因して、追加機能が提供される。たとえば、単一のＤＶＤドライブのコピーオペレーションは、コピープロテクト又はＤＲＭを取り除くことなくサポートされる。これに加えて、ＨＤＤは、仮想ＤＶＤチェンジャとして動作することもできる。ＤＶＤ／ＨＤＤ結合システムのさらに他の変形は、２００５年１月１９日に出願された米国特許出願第１１／０３９，２８８号に図示して説明されている。
【００８９】
次に図８を参照して、いくつかの実施態様に従ってＨＤＤの不揮発性メモリ３００をユーザアクセス可能エリア及び隠しエリアに区画することが示されている。ＨＤＤの不揮発性メモリ３００は、ユーザアクセス可能な第１の部分３０４、及び、ユーザがアクセス可能でない（すなわち、隠された）第２の部分３０８に割り当てられる。第２の隠し部分３０８は、本発明のいくつかの実施態様による以下の方法の１つ又は２つ以上で使用される。隠し部分３０８は、コピーされるＤＶＤのコンテンツを記憶するのに使用される。これに加えて、ＨＤＤの隠し部分３０８は、仮想ＤＶＤ回転トレーを提供するのにも使用される。換言すれば、複数のＤＶＤをＨＤＤにコピーすることができ、後日、プレイバックすることができる。
【００９０】
次に図９Ａを参照して、ネットワークデバイスによって実行されるステップが示されている。制御はステップ３５０において開始する。ステップ３５２において、制御は、プロバイダネットワークデバイスが保護コンテンツのコピーの要求を受信したかどうかを判断する。受信していない場合、制御はステップ３５２へ戻る。ステップ３５２が真である場合、制御は、ステップ３５４において、リクエスタネットワークデバイスがローカルネットワークに位置しているかどうかを判断する。ステップ３５４が偽である場合、制御は、要求を拒否し、ステップ３５２へ戻る。ステップ３５４が真である場合、プロバイダネットワークデバイスは、保護コンテンツのコピーをリクエスタネットワークデバイスへ送信する。
【００９１】
プロバイダネットワークデバイスは、リクエスタネットワークデバイスがローカルネットワークに存在するかどうかを、任意の適切な方法で判断する。たとえば、リクエスタネットワークデバイスの応答時間を所定のしきい値と比較することができる。他の実施態様では、プロバイダネットワークデバイスは、ファイルが送信される前に、リクエスタネットワークデバイスのローカル／リモートステータスを確認できるように、一時的に、ルータ又はモデムの外部ポートをブロックするように要求することができる。他の実施態様では、ローカルサーバに照会して、ローカルネットワークデバイスを判断することができる。ローカル／リモートステータスを判断するためのさらに他の方法を使用することもできる。
【００９２】
次に図９Ｂを参照して、外部ポートを一時的にブロックすることによってローカル／リモートステータスを判断するためのステップが示されている。制御はステップ３６０で開始する。ステップ３６２において、制御は、プロバイダネットワークデバイスが、コピープロテクトされたファイルの要求を受信したかどうかを判断する。ステップ３６２が偽である場合、制御はステップ３６２へ戻る。ステップ３６２が真である場合、制御は、ステップ３６４に続き、ステップ３６４において、プロバイダネットワークデバイスは、ルータ又はモデムの外部ポートをブロックするように要求する。ステップ３６８において、プロバイダネットワークデバイスは、リクエスタネットワークデバイスがローカルステータスを有するかどうかを判断する。たとえば、プロバイダネットワークデバイスは、リクエスタネットワークデバイスにメッセージを送信して、応答を待つことができる。ステップ３６８が偽である場合、プロバイダネットワークデバイスは要求を拒否し、制御はステップ３６２へ戻る。ステップ３６８が真である場合、プロバイダネットワークデバイスは、ステップ３７０において、ファイルのコピーをリクエスタネットワークデバイスへ送信する。プロバイダネットワークデバイスは、ステップ３７４において、ルータ又はモデムの外部接続又はポートのブロックを解除する。
【００９３】
次に図９Ｃを参照して、ローカルサーバ（ＤＨＣＰサーバ等）を調べてローカル／リモートステータスを判断するためのステップが示されている。制御はステップ３８０で開始する。ステップ３８２において、制御は、プロバイダネットワークデバイスが、コピープロテクトされたファイルの要求を受信したかどうかを判断する。ステップ３８２が偽である場合、制御はステップ３８２へ戻る。ステップ３８２が真である場合、制御は、ステップ３８４に続き、ステップ３８４において、プロバイダネットワークデバイスは、サーバに照会して、ローカルネットワークデバイスの識別情報を得る。この識別情報は、ＭＡＣアドレスを含むことができる。ただし、他のタイプの識別情報を使用することもできる。ステップ３８６において、プロバイダネットワークデバイスは、リクエスタネットワークデバイスがローカルステータスを有するかどうかを判断する。ステップ３８６が偽である場合、プロバイダネットワークデバイスは要求を拒否し、制御はステップ３８２へ戻る。ステップ３８６が真である場合、プロバイダネットワークデバイスは、ステップ３８８において、ファイルのコピーをリクエスタネットワークデバイスへ送信する。
【００９４】
次に図９Ｄを参照して、ネットワークシステムによって実行されるステップが包括的に４００で示されている。ステップ４０２において、制御は開始する。ステップ４０４において、プロバイダネットワークデバイスは、リクエスタネットワークデバイスがコンテンツのコピーを要求しているかどうかを判断する。要求していないと判断した場合、制御はステップ４０４へ戻る。要求していると判断した場合、制御は、ステップ４０８に続き、プロバイダネットワークデバイスは、リクエスタネットワークデバイスに鍵を要求する。ステップ４１２において、プロバイダネットワークデバイスはタイマを始動する。
【００９５】
ステップ４１６において、プロバイダネットワークデバイスは、鍵が受信されたかどうかを判断する。鍵が受信されておらず、且つ、（いくつかの実施態様では）所定の期間を超過していない場合、制御はステップ４１６に続く。そうでない場合、制御はステップ４２０に続き、プロバイダネットワークデバイスはタイマを停止する。ステップ４２２において、制御は、タイマが所定の期間よりも短いかどうかどうかを判断する。
【００９６】
いくつかの実施態様では、所定の期間は、パケットが１つ又は２つのホップを進むのに必要とする時間以下にされる。応答時間を制限することによって、セキュリティが追加して提供される。ホームネットワークの外部のコンピュータ又は他のデバイスが応答するのに必要な時間は、この所定の期間を超過する。換言すれば、ホームネットワークの外部に接続されたコンピュータ６２等のコンピュータ又はネットワークデバイス６０等の他のネットワークデバイスからの鍵を含んだパケットは、１つ又は２つのホップを超える。これは、モデム及びサービスプロバイダを通過するのに必要な時間に起因するものである。
【００９７】
ステップ４２２が偽である場合、制御はステップ４０４へ戻る。ステップ４２２が真である場合、プロバイダネットワークデバイスは、ステップ４２６において、コンテンツを鍵で暗号化又はスクランブルして、その暗号化又はスクランブルされたコンテンツをネットワークにより要求側デバイスへ送信し、制御はステップ４０４に続く。
【００９８】
次に図１０を参照して、リクエスタネットワークデバイスからのコピープロテクトされたファイルのプレイバックをＮ回許可するための方法のステップが示されている。制御はステップ６００で開始する。ステップ６０２において、制御は、コピープロテクトされたファイルがリクエスタネットワークデバイスに記憶されているかどうか判断する。記憶されていないと判断した場合、制御はステップ６０２へ戻る。ステップ６０２が真である場合、制御は、ステップ６０４において、そのファイルにＮ＝１を設定する。ステップ６０６において、制御は、リクエスタネットワークデバイスに記憶された、コピープロテクトされたファイルが再生されたかどうかを判断する。ステップ６０６が偽である場合、制御はステップ６０６へ戻る。ステップ６０６が真である場合、制御は、ステップ６１０において、Ｎをインクリメントする。ステップ６１４において、制御は、Ｎ＝Ｎｍａｘであるかどうかを判断する。ステップ６１４が偽である場合、制御はステップ６０６へ戻る。ステップ６１４が真である場合、制御は、ステップ６１８において、コピープロテクトされたファイルを消去するか、又は、それ以外にそのファイルをリクエスタネットワークデバイスから利用不能にし、制御はステップ６０２へ戻る。
【００９９】
次に図１１を参照して、リクエスタネットワークデバイスに記憶された、コピープロテクトされたファイルを再生できる時間を制限するための方法のステップが示されている。制御はステップ６４０で開始する。ステップ６４４において、制御は、コピープロテクトされたファイルがリクエスタネットワークデバイスに記憶されているかどうか判断する。ステップ６４４が偽である場合、制御はステップ６４４へ戻る。ステップ６４４が真である場合、制御はステップ６４６に続き、タイマをセットする。ステップ６４８において、制御は、タイマが満了したかどうかを判断する。ステップ６４８が偽である場合、制御はステップ６４８へ戻る。ステップ６４８が真である場合、制御は、ステップ６５２において、コピープロテクトされたファイルをリクエスタネットワークデバイスから消去し、制御はステップ６４４に続く。タイマを説明したが、任意の使用量測定及び／又は比較を行うことができる。たとえば、日付及び／又は時刻のスタンプを使用して、現在の日付及び／又は時刻と比較することができる。さらに他のタイプの使用量データも当業者には明らかであろう。
【０１００】
次に図１２Ａを参照して、プロバイダ７０２からリクエスタ７０４へ保護コンテンツを供給するのにメディアサーバ７００を使用することができる。メディアサーバ７００、プロバイダ７０２、及びリクエスタ７０４を接続するものとしてルータが示されているが、アドホックネットワークモード、ピアツーピアモード、他の手法等の他のネットワーク構成及び接続も使用することができるが、これらに限定されるものではない。いくつかの実施態様では、メディアサーバは、上述したようなローカル／リモートステータス判断モジュール７０１を含む。メディアサーバ７００は、利用可能なコンテンツのリストをリクエスタ７０４に提供する。リクエスタ７０４はコンテンツを要求する。メディアサーバ７００は、リクエスタがローカルネットワークに存在することを、上述した方法のいずれかで確認する。リクエスタ７０４がローカルネットワークに存在する場合、メディアサーバ７００は、プロバイダ７０２にコンテンツを要求する。プロバイダ７０２は、コンテンツをリクエスタ７０４へ直接送信するか、又は、メディアサーバ７００へ送信する。メディアサーバ７００は、コンテンツをリクエスタ７０４へ送信する。
【０１０１】
次に図１２Ｂ及び図１３を参照して、メディアサーバ７００は、ＤＶＤシステム７１０からＨＤＤシステム７１２へ保護コンテンツを供給する。ＤＶＤシステム７１０及びＨＤＤシステム７１２は、上述した実施形態で説明したように実施することができる。図１３では、メディアサーバ７００を、図示したようなネットワークで実施することができる。本明細書で説明したネットワーク構成、さらにはそれ以外のネットワーク構成等の他のネットワーク構成も検討することができる。メディアサーバは、有線形式又は無線形式でネットワークに接続することができる。
【０１０２】
次に図１４を参照して、本発明によるメディアサーバによって実行されるステップを示すフローチャートが示されている。制御はステップ７２０において開始する。ステップ７２２において、制御は、サーバが、保護ファイルのコピーの要求をリクエスタから受信したかどうかを判断する。ステップ７２２が偽である場合、制御はステップ７２２へ戻る。ステップ７２２が真である場合、メディアサーバは、リクエスタがローカルステータスを有するかどうかを判断する。リクエスタのローカルステータスは、上述した方法のいずれかで判断することができる。真である場合、サーバは、プロバイダにファイルを要求し、ファイルをリクエスタへ送信する。或いは、プロバイダは、ファイルをリクエスタへ直接送信することもできる。
【０１０３】
当業者は、この時点で、上記説明から、本発明の広い教示をさまざまな形態で実施できることを十分理解することができる。したがって、本発明は、その特定の例に関して説明されているが、他の変更は、図面、明細書、及び添付の特許請求の範囲を検討すると当業者には明らかであるので、本発明の真の範囲はそのように限定されるべきではない。
【図面の簡単な説明】
【０１０４】
【図１】ローカルネットワークの１つ又は２つ以上のリクエスタネットワークデバイスにデジタル保護コンテンツを提供するプロバイダネットワークデバイスの機能ブロック図。
【図２】モデムと通信する、本発明によるネットワーク接続された第１の例示のＤＶＤ及びＨＤＤのシステムの機能ブロック図。
【図３】モデムと通信する、本発明によるネットワーク接続された第２の例示のＤＶＤ及びＨＤＤのシステムの機能ブロック図。
【図４】モデムと通信する、本発明によるネットワーク接続された第３の例示のＤＶＤ及びＨＤＤのシステムの機能ブロック図。
【図５】モデムと通信する、本発明によるネットワーク接続された第４の例示のＤＶＤ及びＨＤＤのシステムの機能ブロック図。
【図６】ＨＤＤシステムを含む例示のリクエスタネットワークデバイスの機能ブロック図。
【図７Ａ】読み出し専用オペレーションを有するＤＶＤシステムを含む例示のプロバイダネットワークデバイスの機能ブロック図。
【図７Ｂ】読み出し書き込みオペレーションを有するＤＶＤシステムを含む例示のプロバイダネットワークデバイスの機能ブロック図。
【図７Ｃ】ＤＶＤ／ＨＤＤ結合システムを含むプロバイダネットワークデバイス又はリクエスタネットワークデバイスの機能ブロック図。
【図８】図６のＨＤＤの不揮発性メモリのユーザアクセス可能セクション及び隠しセクションを示す図。
【図９Ａ】プロバイダネットワークデバイス及び／又はリクエスタネットワークデバイスによって実行されるセキュリティのステップを示すフローチャート。
【図９Ｂ】プロバイダネットワークデバイス及び／又はリクエスタネットワークデバイスによって実行されるセキュリティのステップを示すフローチャート。
【図９Ｃ】プロバイダネットワークデバイス及び／又はリクエスタネットワークデバイスによって実行されるセキュリティのステップを示すフローチャート。
【図９Ｄ】プロバイダネットワークデバイス及び／又はリクエスタネットワークデバイスによって実行されるセキュリティのステップを示すフローチャート。
【図１０】リクエスタネットワークデバイスからのコピープロテクトされたファイルのプレイバックをＮ回許可するための方法のステップを示すフローチャート。
【図１１】リクエスタネットワークデバイスに記憶された、コピープロテクトされたファイルを再生できる時間を制限するための方法のステップを示すフローチャート。
【図１２Ａ】プロバイダからリクエスタへ保護コンテンツを供給するメディアサーバを含むネットワークの機能ブロック図。
【図１２Ｂ】ＤＶＤシステムからＨＤＤシステムへ保護コンテンツを供給するメディアサーバを含むネットワークの機能ブロック図。
【図１３】例示のネットワーク構成におけるメディアサーバを示す図。
【図１４】本発明によるメディアサーバによって実行されるステップを示すフローチャート。
【図１】
2006285984.tif 000003
【図２】
2006285984.tif 000004
【図３】
2006285984.tif 000005
【図４】
2006285984.tif 000006
【図５】
2006285984.tif 000007
【図６】
2006285984.tif 000008
【図７Ａ】
2006285984.tif 000009
【図７Ｂ】
2006285984.tif 000010
【図７Ｃ】
2006285984.tif 000011
【図８】
2006285984.tif 000012
【図９Ａ】
2006285984.tif 000013
【図９Ｂ】
2006285984.tif 000014
【図９Ｃ】
2006285984.tif 000015
【図９Ｄ】
2006285984.tif 000016
【図１０】
2006285984.tif 000017
【図１１】
2006285984.tif 000018
【図１２Ａ】
2006285984.tif 000019
【図１２Ｂ】
2006285984.tif 000020
【図１３】
2006285984.tif 000021
【図１４】
2006285984.tif 000022
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
ネットワークにおいてコンテンツを配信するためのシステムであって、
コンテンツを記憶するメモリと、
前記メモリと通信するプロバイダネットワークデバイスと、
前記コンテンツのコピーを要求するリクエスタネットワークデバイスと、
を備え、
前記プロバイダネットワークデバイスは、前記リクエスタネットワークデバイスのローカル／リモートステータスを判断し、前記リクエスタネットワークデバイスがコンテンツを要求し、且つ、ローカルステータスを有する場合に、前記コンテンツのコピーを前記リクエスタネットワークデバイスへ選択的に送信する、
ネットワークにおいてコンテンツを配信するためのシステム。
【請求項２】
前記プロバイダネットワークデバイスは、デジタル多用途ディスク（ＤＶＤ）システムを含む、請求項１に記載の、ネットワークにおいてコンテンツを配信するためのシステム。
【請求項３】
前記リクエスタネットワークデバイスは、ハードディスクドライブ（ＨＤＤ）システムを含む、請求項１に記載の、ネットワークにおいてコンテンツを配信するためのシステム。
【請求項４】
前記プロバイダネットワークデバイスは、前記リクエスタネットワークデバイスの前記ローカル／リモートステータスを判断するローカルネットワーク判断モジュールを含む、請求項１に記載の、ネットワークにおいてコンテンツを配信するためのシステム。
【請求項５】
前記プロバイダネットワークデバイスは、前記リクエスタネットワークデバイスの応答時間に基づいて、前記ローカル／リモートステータスを判断する、請求項１に記載の、ネットワークにおいてコンテンツを配信するためのシステム。
【請求項６】
前記プロバイダネットワークデバイスと通信し、且つ、ローカルネットワークデバイスの識別データを記憶するサーバ、をさらに備え、前記プロバイダネットワークデバイスは、前記識別データに基づいて前記ローカル／リモートステータスを判断する、請求項１に記載の、ネットワークにおいてコンテンツを配信するためのシステム。
【請求項７】
前記識別データは、前記ローカルネットワークデバイスの媒体アクセス制御（ＭＡＣ）アドレスを含む、請求項６に記載の、ネットワークにおいてコンテンツを配信するためのシステム。
【請求項８】
前記ＨＤＤシステムは、
不揮発的な方法でデータを記憶し、且つ、ユーザアクセス可能セクション及び隠しセクションを含む、不揮発性ＨＤＤメモリと、
前記ＨＤＤ不揮発性メモリと通信し、前記プロバイダネットワークデバイスにコンテンツを選択的に要求して前記プロバイダネットワークデバイスからコンテンツを受信し、且つ、前記要求されたコンテンツを前記不揮発性ＨＤＤメモリの前記隠しセクションに記憶する、ハードディスクドライブ（ＨＤＤ）制御モジュールと、
を備える、請求項３に記載の、ネットワークにおいてコンテンツを配信するためのシステム。
【請求項９】
前記要求を前記プロバイダネットワークデバイスへ送信した後、前記ＨＤＤ制御モジュールは、鍵要求を受信し、該鍵要求に応答して、前記プロバイダネットワークデバイスへ鍵を送信する、請求項８に記載の、ネットワークにおいてコンテンツを配信するためのシステム。
【請求項１０】
前記プロバイダネットワークデバイスから前記ＨＤＤシステムによって受信された、前記要求されたコンテンツは、前記鍵を使用して暗号化される、請求項９に記載の、ネットワークにおいてコンテンツを配信するためのシステム。
【請求項１１】
前記ＨＤＤ制御モジュールは、前記要求されたコンテンツを解読する、請求項１０に記載の、ネットワークにおいてコンテンツを配信するためのシステム。
【請求項１２】
前記要求されたコンテンツは、同じく前記不揮発性ＨＤＤメモリの前記隠し部分に書き込まれる使用量データを含み、前記ＨＤＤ制御モジュールは、前記使用量データが、許可された使用を超過したことを示すと、前記要求されたコンテンツを利用不能にする、請求項８に記載の、ネットワークにおいてコンテンツを配信するためのシステム。
【請求項１３】
前記ＨＤＤシステムは、前記要求されたコンテンツを前記不揮発性ＨＤＤメモリから消去する、請求項１２に記載の、ネットワークにおいてコンテンツを配信するためのシステム。
【請求項１４】
前記使用量データは、許可された所定の使用回数および許可された使用期間の一つを指定する、請求項１２に記載の、ネットワークにおいてコンテンツを配信するためのシステム。
【請求項１５】
前記ＨＤＤシステムは、前記ネットワークおよび無線および有線媒体の一つによって通信する、請求項８に記載の、ネットワークにおいてコンテンツを配信するためのシステム。
【請求項１６】
前記ＤＶＤシステムは、
コンテンツを記憶する不揮発性メモリと、
前記不揮発性メモリと通信し、且つ、前記リクエスタネットワークデバイスからコンテンツの要求を選択的に受信する、ＤＶＤ制御モジュールと、
を備える、請求項２に記載の、ネットワークにおいてコンテンツを配信するためのシステム。
【請求項１７】
前記ＤＶＤ制御モジュールは、前記要求されたコンテンツを送信する前に、前記リクエスタネットワークデバイスに鍵を要求し、且つ、該鍵要求を前記ＨＤＤシステムへ送信した後に、該ＨＤＤシステムから前記鍵を受信するのに必要な時間を求める、請求項１５に記載の、ネットワークにおいてコンテンツを配信するためのシステム。
【請求項１８】
前記鍵が所定の期間内に受信された場合に、前記ＤＶＤシステムは、前記要求されたコンテンツを前記ＨＤＤシステムへ送信する、請求項１６に記載の、ネットワークにおいてコンテンツを配信するためのシステム。
【請求項１９】
前記ＤＶＤシステムは、前記要求されたコンテンツを前記ＨＤＤシステムへ送信する前に、前記要求されたコンテンツを暗号化する、請求項１７に記載の、ネットワークにおいてコンテンツを配信するためのシステム。
【請求項２０】
前記ＤＶＤ制御モジュールは、前記ＨＤＤシステムへ送信される、前記要求されたコンテンツに、使用量データを含める、請求項１６に記載の、ネットワークにおいてコンテンツを配信するためのシステム。
【請求項２１】
前記使用量データは、許可された使用回数および許可された使用期間の一つを指定する、請求項２０に記載の、ネットワークにおいてコンテンツを配信するためのシステム。
【請求項２２】
前記ＤＶＤシステムは、前記ネットワークと無線および有線媒体の一つで通信する、請求項１６に記載の、ネットワークにおいてコンテンツを配信するためのシステム。
【外国語明細書】
2006285984.tif 000023
2006285984.tif 000024
2006285984.tif 000025
2006285984.tif 000026
2006285984.tif 000027
2006285984.tif 000028
2006285984.tif 000029
2006285984.tif 000030
2006285984.tif 000031
2006285984.tif 000032
2006285984.tif 000033
2006285984.tif 000034
2006285984.tif 000035
2006285984.tif 000036
2006285984.tif 000037
2006285984.tif 000038
2006285984.tif 000039
2006285984.tif 000040
2006285984.tif 000041
2006285984.tif 000042
2006285984.tif 000043
2006285984.tif 000044
2006285984.tif 000045
2006285984.tif 000046
2006285984.tif 000047
2006285984.tif 000048
2006285984.tif 000049
2006285984.tif 000050
2006285984.tif 000051
2006285984.tif 000052
2006285984.tif 000053
2006285984.tif 000054
2006285984.tif 000055
2006285984.tif 000056
2006285984.tif 000057
2006285984.tif 000058
2006285984.tif 000059
2006285984.tif 000060
2006285984.tif 000061
2006285984.tif 000062
2006285984.tif 000063
2006285984.tif 000064
2006285984.tif 000065
2006285984.tif 000066
2006285984.tif 000067
2006285984.tif 000068
2006285984.tif 000069
2006285984.tif 000070
2006285984.tif 000071
2006285984.tif 000072
2006285984.tif 000073
2006285984.tif 000074
2006285984.tif 000075
2006285984.tif 000076
2006285984.tif 000077
2006285984.tif 000078
2006285984.tif 000079
2006285984.tif 000080
2006285984.tif 000081
2006285984.tif 000082
2006285984.tif 000083
2006285984.tif 000084
2006285984.tif 000085
2006285984.tif 000086
2006285984.tif 000087
2006285984.tif 000088
2006285984.tif 000089
2006285984.tif 000090
2006285984.tif 000091